(57)【要約】【課題】  回転ディスプレイフレーム装置の提供。【解決手段】  中空フレームの上フレームバーと下フレームバー、ディスプレイの上側面と下側面に同軸上で対応する回転手段が設けられ、且つディスプレイが回転手段を軸心として中空フレームに対して左右に回転可能とされる。これにより、ディスプレイの重量が上フレームバーと下フレームバーで支持され、且つ下圧の力が湾曲力を具備せず、中空フレームの構造高度が高められて損壊を防止する。このほか、回転手段の内部に電線チャネルが設けられ、電線が直接電線チャネルに通されて接続され、電線の配線設計の便利性が増されている。さらに、電線が左右のフレームバーを通らず、ゆえに左右のフレームバーが実心状とされて全体の中空フレームの構造強度が増されている。【選択図】        図２
2005173524.tif 000002
【特許請求の範囲】
【請求項１】
ベース、中空フレーム、及びディスプレイを具え、
該ベースが上表面及び四つの側縁を具え、且つそのうち一つの側縁に第１枢設構造が形成され、
該中空フレームが左フレームバー、右フレームバー、上フレームバー、下フレームバーを具え、且つ上下左右のフレームバーの共同包囲により中空組み付けエリアが形成され、上フレームバーと下フレームバーの内縁の中央位置に相互に対応し同軸上にある第２回転手段を具え、下フレームバーの外縁に別に第２枢設構造が設けられ、この第２枢設構造が上述のベースの第１枢設構造に対応し、並びに中空フレームが第１、第２枢設構造を軸心として回転し且つベースの上表面を被覆可能とされ、
該ディスプレイは上述の中空フレームの中空組み付けエリア内に組み付けられ、且つディスプレイは左側面、右側面、上側面及び下側面を具え、該上側面と下側面の中央位置に第１回転手段が設けられ、該第１回転手段が中空フレームの第２回転手段に対応して枢設され、ディスプレイが第１、第２回転手段を軸心として中空フレームに対して左右に回転可能とされた回転ディスプレイフレーム装置において、
該第１回転手段と第２回転手段の一方が枢軸とされ、もう一方が枢設孔とされ、該枢軸が中空管状とされその内部に電線チャネルが開設されたことを特徴とする、回転ディスプレイフレーム装置。
【請求項２】
請求項１記載の回転ディスプレイフレーム装置において、中空フレームの上フレームバーに無線アンテナが組み付けられ、無線アンテナの電線が電線チャネルを通りディスプレイ内部に接続されたことを特徴とする、回転ディスプレイフレーム装置。
【請求項３】
請求項１記載の回転ディスプレイフレーム装置において、ベースが電線を具え、該電線が電線チャネルを通りディスプレイ内部に接続されたことを特徴とする、回転ディスプレイフレーム装置。
【請求項４】
請求項１記載の回転ディスプレイフレーム装置において、ベースの上表面にキーボードセットが組み付けられたことを特徴とする、回転ディスプレイフレーム装置。
【請求項５】
請求項１記載の回転ディスプレイフレーム装置において、中空フレームの第２回転手段が枢設孔とされ、ディスプレイの第１回転手段が枢軸とされたことを特徴とする、回転ディスプレイフレーム装置。
【請求項６】
請求項１記載の回転ディスプレイフレーム装置において、ベースの第１枢設構造が枢設孔とされ、中空フレームの第２枢設構造が枢軸とされたことを特徴とする、回転ディスプレイフレーム装置。
【発明の詳細な説明】
【技術分野】
【０００１】
本発明は一種の回転ディスプレイフレーム装置に係り、特に、両用型ポータブルコンピュータに適用される回転ディスプレイフレーム装置に関する。
【背景技術】
【０００２】
一般に両用型ポータブルコンピュータはベースとディスプレイを具え、該ベースにキーボードセットが組み付けられ、且つディスプレイがベースに対して回転可能とされ、ディスプレイが回転させられてベース上に折り畳まれる時、この両用型ポータブルコンピュータはタブレットＰＣとして使用され、ディスプレイが開かれる時、このポータブルコンピュータはノートブック型コンピュータとして使用され、このためいわゆる両用型と称されるのである。
【０００３】
上述の両用の目的を達成するため、多くの回転構造が提供されている。図１は周知の回転式ディスプレイの立体図であり、ベース９３に中空フレーム９２が枢設され、中空フレーム９２内にさらにディスプレイ９１が枢設され、中空フレーム９２はベース９３に対して回転し並びにベース９３の上に折り畳み可能とされ、図１の矢印に示されるようにディスプレイ９１は中空フレーム９２に対して上下に回転可能とされている。ディスプレイ９１のスクリーン９１１がベース９３に対向し、且つディスプレイ９１が中空フレーム９２に伴いベース９３に対して回転させられ開放される時、ノートブック型コンピュータ方式で使用され、また、ディスプレイ９１のスクリーン９１１がベース９３に背向し、且つディスプレイ９１が中空フレーム９２に伴いベース９３の上に折り畳まれる時、タブレットＰＣ方式で使用される。
【０００４】
しかし、上述のディスプレイ９１と中空フレーム９２の間の枢設構造はそれぞれ両側に位置し、ベース９３或いはディスプレイ９１内の電線９４は中空フレーム９２の両側のサイドフレームバー９２１内部に配置する必要があるため、電線９４の配線設計が比較的面倒である。さらに、中空フレーム９２の両側のサイドフレームバー９２１は中空状に設計しなければ前述の電線９４を収容できず、このため構造強度が脆弱となり、このため中空フレーム９２の全体構造強度に不良な影響が生じ、即ちディスプレイ９１が懸吊方式で中空フレーム９２の両側のサイドフレームバー９２１に保持されるため、両側のサイドフレームバー９２１が下圧湾曲力を受けて損壊しやすく、理想的でない。このような構造は例えば特許文献１に記載されている。
【０００５】
【特許文献１】米国特許第５，４１０，４４７号明細書
【発明の開示】
【発明が解決しようとする課題】
【０００６】
本発明の主要な目的は、構造強度が増され、且つ、電線の配線設計に便利とされた回転ディスプレイフレーム装置を提供することにある。
【課題を解決するための手段】
【０００７】
請求項１の発明は、ベース、中空フレーム、及びディスプレイを具え、
該ベースが上表面及び四つの側縁を具え、且つそのうち一つの側縁に第１枢設構造が形成され、
該中空フレームが左フレームバー、右フレームバー、上フレームバー、下フレームバーを具え、且つ上下左右のフレームバーの共同包囲により中空組み付けエリアが形成され、上フレームバーと下フレームバーの内縁の中央位置に相互に対応し同軸上にある第２回転手段を具え、下フレームバーの外縁に別に第２枢設構造が設けられ、この第２枢設構造が上述のベースの第１枢設構造に対応し、並びに中空フレームが第１、第２枢設構造を軸心として回転し且つベースの上表面を被覆可能とされ、
該ディスプレイは上述の中空フレームの中空組み付けエリア内に組み付けられ、且つディスプレイは左側面、右側面、上側面及び下側面を具え、該上側面と下側面の中央位置に第１回転手段が設けられ、該第１回転手段が中空フレームの第２回転手段に対応して枢設され、ディスプレイが第１、第２回転手段を軸心として中空フレームに対して左右に回転可能とされた回転ディスプレイフレーム装置において、
該第１回転手段と第２回転手段の一方が枢軸とされ、もう一方が枢設孔とされ、該枢軸が中空管状とされその内部に電線チャネルが開設されたことを特徴とする、回転ディスプレイフレーム装置としている。
請求項２の発明は、請求項１記載の回転ディスプレイフレーム装置において、中空フレームの上フレームバーに無線アンテナが組み付けられ、無線アンテナの電線が電線チャネルを通りディスプレイ内部に接続されたことを特徴とする、回転ディスプレイフレーム装置としている。
請求項３の発明は、請求項１記載の回転ディスプレイフレーム装置において、ベースが電線を具え、該電線が電線チャネルを通りディスプレイ内部に接続されたことを特徴とする、回転ディスプレイフレーム装置としている。
請求項４の発明は、請求項１記載の回転ディスプレイフレーム装置において、ベースの上表面にキーボードセットが組み付けられたことを特徴とする、回転ディスプレイフレーム装置としている。
請求項５の発明は、請求項１記載の回転ディスプレイフレーム装置において、中空フレームの第２回転手段が枢設孔とされ、ディスプレイの第１回転手段が枢軸とされたことを特徴とする、回転ディスプレイフレーム装置としている。
請求項６の発明は、請求項１記載の回転ディスプレイフレーム装置において、ベースの第１枢設構造が枢設孔とされ、中空フレームの第２枢設構造が枢軸とされたことを特徴とする、回転ディスプレイフレーム装置としている。
【発明の効果】
【０００８】
本発明の中空フレームはその上フレームバーと下フレームバーに対応し且つ同軸の第２回転手段が設けられ、且つディスプレイの上側面と下側面に対応し且つ同軸の第１回転手段が設けられ、ディスプレイが第１、第２回転手段を軸心として中空フレームに対して左右に回転する。これにより、前述のディスプレイの重量は中空フレームの上フレームバーと下フレームバーにより支持され、中空フレームの左フレームバーと右フレームバーとは関係がないため、ディスプレイの発生する力は僅かに下圧の力だけとなり、湾曲力の発生がなく、ゆえに伝統的な技術に較べ、本発明の中空フレームの強度は有効に高められ損壊を発生しない。
【０００９】
さらに、本発明の第１、第２回転手段の一方は中空管状とされ、並びにその内部に電線チャネルが設けられ、中空フレームの上フレームバーに組み付けられるのが無線アンテナの電線であるか、或いはベースの別の電線であるかに関わらず、直接電線チャネルに通されてディスプレイ内部に接続されるため、伝統的な技術のように左右のフレームバーを通してディスプレイ内部に接続する必要がない。ゆえに本発明は電線の配線設計に対して便利性が増されている。さらに、本発明の電線は中空フレームの左右のフレームバーを通らず、ゆえに左右のフレームバーが実心状に形成され、これにより中空フレームの構造強度が増される。
【発明を実施するための最良の形態】
【００１０】
本発明の回転ディスプレイフレーム装置は、ベース、中空フレーム、及びディスプレイを具えている。そのうち、ベースには上表面及び四つの側縁があり、且つそのうち一つの側縁に第１枢設構造が形成されている。
【００１１】
このほか、中空フレームは左フレームバー、右フレームバー、上フレームバー、下フレームバーを具え、且つ上下左右のフレームバーの共同包囲により中空組み付けエリアが形成され、上フレームバーと下フレームバーがその内縁の中央位置に相互に対応し同軸上にある第２回転手段を具え、下フレームバーの外縁に別に第２枢設構造が設けられ、この第２枢設構造が上述のベースの第１枢設構造に対応し、並びに中空フレームが第１、第２枢設構造を軸心として回転し且つベースの上表面を被覆可能とされている。
【００１２】
このほか、ディスプレイは上述の中空フレームの中空組み付けエリア内に組み付けられ、且つディスプレイは左側面、右側面、上側面及び下側面を具え、そのうち上側面と下側面の中央位置に第１回転手段が設けられ、この第１回転手段は中空フレームの第２回転手段に対応して枢設され、ディスプレイが第１、第２回転手段を軸心として中空フレームに対して左右に回転可能とされる。
【００１３】
上述の第１、第２回転手段の一方は枢軸とされ、もう一方は枢設孔とされ、且つ前述の枢軸は中空管状とされ並びに内部に電線チャネルが開設されている。
【実施例１】
【００１４】
図２は本発明の立体分解図である。本発明の回転ディスプレイフレーム装置はベース１、中空フレーム２、及びディスプレイ３を具えている。そのうち、ベース１には上表面１１及び四つの側縁１２があり、且つそのうち一つの側縁１２に第１枢設構造１３が形成されている。本実施例では、該第１枢設構造１３は枢設孔とされている。このほか、ベース１の上表面１１に更にキーボードセット１５が組み付けられている。
【００１５】
このほか、中空フレーム２は左フレームバー２１、右フレームバー２２、上フレームバー２３、下フレームバー２４を具え、且つ上下左右のフレームバーの共同包囲により中空組み付けエリア２５が形成され、上フレームバー２３と下フレームバー２４がその内縁の中央位置に相互に対応し同軸上にある第２回転手段２６を具え、本実施例では該第２回転手段２６は枢設孔とされている。このほか、下フレームバー２４の外縁に別に第２枢設構造２７が設けられ、この第２枢設構造２７は本実施例では枢軸とされ、それがベース１の第１枢設構造１３の枢設孔に対応し、中空フレーム２が第１、第２枢設構造１３、２７の枢設孔と枢軸の組み合わせにより、それを軸心として回転し且つベース１の上表面１１を被覆することができるものとされている。
【００１６】
また、ディスプレイ３は上述の中空フレーム２の中空組み付けエリア２５内に組み付けられ、並びに中空フレーム２に伴いベース１に対して回転しベース１の上表面１１を被覆可能であり、且つディスプレイ３は左側面３１、右側面３２、上側面３３及び下側面３４を具え、左側面３１、右側面３２、上側面３３及び下側面３４は中空フレーム２の左フレームバー２１、右フレームバー２２、上フレームバー２３、下フレームバー２４にそれぞれ対応し、またディスプレイ３の上側面３３と下側面３４の中央位置に第１回転手段３６が設けられ、本実施例ではこの第１回転手段３６は枢軸とされ、それは並びに中空フレーム２の第２回転手段２６の枢設孔に枢設され、これによりディスプレイ３が第１、第２回転手段３６、２６の枢軸と枢設孔の組み合わせにより、それを軸心として中空フレーム２に対して左右回転可能とされている。
【００１７】
図２及び図３の本発明のディスプレイの第１回転手段の拡大表示図、及び図４の本発明の立体組合せ図を参照されたい。ディスプレイ３の第１回転手段３６の枢軸は中空管状を呈し、並びにその内部に電線チャネル３６１が開設されている。
【００１８】
このほか、中空フレーム２の上フレームバー２３に無線アンテナ２８を組み付け可能であり、その電線２８１はまず上フレームバー２３内部を通りさらに電線チャネル３６１を通りディスプレイ３内部に接続される。また、ベース１に別の電線１４が設けられ、それは下フレームバー２４の内部を通りさらに電線チャネル３６１を通りディスプレイ３内に接続される。以上から分かるように、中空フレーム２の上フレーム２３に組付けられる無線アンテナ２８の電線２８１も、ベース１の別の電線１４も、いずれも電線チャネル３６１を通り、ディスプレイ３内に接続され、ゆえに電線２８１、１４の配線設計の便利性を高めることができ、並びに伝統的な技術のように先に左右のフレームバーを通してからディスプレイ内に接続する必要がない。
【００１９】
さらに、上述の中空フレーム２はその上フレームバー２３と下フレームバー２４に相互に対応し且つ同軸の第２回転手段２６が設けられ、且つディスプレイ３の上側面３３と下側面３４にも相互に対応し且つ同軸の第１回転手段３６が設けられ、ディスプレイ３が第１、第２回転手段３６、２６を軸心として中空フレーム２に対して左右に回転可能とされる。これにより、前述のディスプレイ３の重量は中空フレーム２の上フレームバー２３と下フレームバー２４により支持され、中空フレーム２の左フレームバー２１と右フレームバー２２とは関係がなく、且つディスプレイ３の発生する力は僅かに下圧の力だけとなり、湾曲力の発生がなく、ゆえに中空フレーム２の構造強度が高められて損壊を発生しない。さらに、上述の電線２８１、１４は中空フレーム２の左フレームバー２１、右フレームバー２２を通らず、ゆえに左フレームバー２１、右フレームバー２２を実心状に設計でき、これにより全体の中空フレーム２の構造強度が高められる。
【００２０】
また上述の第１、第２枢設構造１３、２７の枢設孔と枢軸の組合せは逆に枢軸と枢設孔の組合せとすることもでき、同様に、第１、第２回転手段３６、２６の枢軸と枢設孔の組合せも逆に枢設孔と枢軸の組合せとすることができる。
【００２１】
図４及び図５の本発明の回転表示図、及び図６の本発明のタブレットＰＣ方式での使用表示図を参照されたい。図４中、ディスプレイ３が中空フレーム２に伴い上向きに回転させられるとき、それはノートブック型コンピュータ方式で使用され、並びにベース１のキーボードセット１５で入力操作が行なえる。またディスプレイ３が図５の矢印方向に示されるように左右に回された後、ディスプレイ３が中空フレーム２に伴いベース１に対して回転させられてベース１の上表面１１を被覆する時、タブレットＰＣとして使用され、並びにタッチペン４で入力が行なえ、こうして両用型の目的が達成される。
【００２２】
以上の実施例は本発明の請求範囲を限定するものではなく、本発明に基づきなしうる細部の修飾或いは改変は、いずれも本発明の請求範囲に属するものとする。
【図面の簡単な説明】
【００２３】
【図１】周知の回転式ディスプレイの立体図である。
【図２】本発明の立体分解図である。
【図３】本発明のディスプレイの第１回転手段の拡大表示図である。
【図４】本発明の立体組合せ図である。
【図５】本発明の回転表示図である。
【図６】本発明のタブレットＰＣ方式での使用表示図である。
【符号の説明】
【００２４】
１  ベース                  １１  上表面              １２  側縁
１３  第１枢設構造          １４  電線                １５  キーボードセット
２  中空フレーム            ２１  左フレームバー      ２２  右フレームバー
２３  上フレームバー        ２４  下フレームバー      ２５  中空組み付けエリア
２６  第２回転手段          ２７  第２枢設構造        ２８  無線アンテナ
２８１  電線                ３  ディスプレイ          ３１  左側面
３２  右側面                ３３  上側面              ３４  下側面
３６  第１回転手段          ３６１  電線チャネル      ４  タッチペン
９１  ディスプレイ          ９１１  スクリーン        ９２  中空フレーム
９２１  サイドフレームバー  ９３  ベース              ９４  電線
【図１】
2005173524.tif 000003
【図２】
2005173524.tif 000004
【図３】
2005173524.tif 000005
【図４】
2005173524.tif 000006
【図５】
2005173524.tif 000007
【図６】
2005173524.tif 000008